(57)【要約】【課題】歩行の補助器材であると共に、現時点の時間および動悸値と、一回の歩行のカロリー消耗量、距離、総歩数および総時間となども測定して表示可能な杖の構造を提供する。【解決手段】一つの本体１と、表示装置１５とを含む杖の構造である。本体１は、ユーザーの動悸値を測定するための動悸センサー１２が組み付けられた一端はユーザーの手の握り箇所とし、ユーザーの総歩数を測定するための歩数計１４が組み付けられた他端は地面と接触するロッド１３である。表示装置１５は、一つのスクリーンと、複数のボタンとを有し、本体１に組み付けられ、動悸センサー１２および歩数計１４と電気的に接続し、ユーザーの現時点の動悸と、一回の歩行のカロリー消耗量とを表示する。各ボタンによってスクリーンの表示画面が切り替え可能である。【選択図】図１
0003124681.tif 000002
【実用新案登録請求の範囲】
【請求項１】
本体と、表示装置とを含む杖の構造であって、
前記本体は、ユーザーの動悸値を測定するための動悸センサーが組み付けられた一端はユーザーの手の握り箇所であり、ユーザーの総歩数を測定するための歩数計が組み付けられた他端は地面と接触し、
前記表示装置は、前記本体に組み付けられ、前記動悸センサーおよび前記歩数計と電気的に接続され、ユーザーの現時点の動悸と、一回の歩行のカロリー消耗量とを表示することを特徴とする杖の構造。
【請求項２】
前記本体は、一端はユーザーの動悸を測定するための動悸センサーが組み付けられたハンドルであり、他端はユーザーの総歩数を測定するための歩数計が組み付けられ地面と接触するロッドであり、前記総歩数のデータが表示装置に転送されてカロリー消耗量を計算して表示することを特徴とする請求項１に記載の杖の構造。
【請求項３】
前記表示装置は、一つのスクリーンと、複数のボタンとを有し、前記スクリーンは、ユーザーの現時点の動悸値と、一回の歩行によるカロリー消耗量とを表示し、前記各ボタンによって表示画面が切り替え可能であることを特徴とする請求項１に記載の杖の構造。
【請求項４】
前記スクリーンは、現時点の時間を表示することも可能であることを特徴とする請求項３に記載の杖の構造。
【請求項５】
前記スクリーンは、ユーザーの一回の歩行の距離を表示することも可能であることを特徴とする請求項３に記載の杖の構造。
【請求項６】
前記スクリーンは、ユーザーの一回の歩行の総歩数を表示することも可能であることを特徴とする請求項３に記載の杖の構造。
【請求項７】
前記スクリーンは、ユーザーの一回の歩行の総時間を表示することも可能であることを特徴とする請求項３に記載の杖の構造。
【請求項８】
前記本体には、前記表示装置にあるブザーと電気的に接続した緊急ボタンが組み付けられ、緊急状態の場合には、ユーザーが前記緊急ボタンを押圧すると、前記ブザーが警示音声を出すことを特徴とする請求項１に記載の杖の構造。
【請求項９】
前記本体のロッドには、前記ロッドに対して摺動可能な伸縮ロッドが一つ設けられていることを特徴とする請求項２に記載の杖の構造。
【考案の詳細な説明】
【技術分野】
【０００１】
本考案は、杖の構造に係り、特に、歩行の補助器材とし、多数の情報を表示可能な杖の構造に関する。
【背景技術】
【０００２】
目下、一般の杖は、体の不自由な方の歩行の補助器材として、滑って転ぶことを防止する機能を有するだけであり、メーカは、杖の材質や外観の造形に対して変化するが、機能を対して改善を加えることは殆どない。
図１１に示すのは、従来の杖の構造であり、この杖は、一つのロッド８１を有し、ロッド８１の内部には伸縮ロッド８２が収容され、ロッド８１の頂端にはユーザーの手の握り箇所とするハンドル８３が設けられている。
【考案の開示】
【考案が解決しようとする課題】
【０００３】
しかしながら、従来の杖の機能は歩行の補助器材とするだけであり、機能を追加する余地は残っている。
したがって本考案は、上記課題を解決するためになされたものであり、その主な目的は、歩行の補助器材とすることが可能であると共に、現時点の時間および動悸値と、一回の歩行のカロリー消耗量、距離、総歩数および総時間となども測定して表示可能な杖の構造を提供することにある。
【課題を解決するための手段】
【０００４】
上述の目的を達成するために本考案の請求項に記載の杖の構造は、一つの本体と、表示装置とを含む杖の構造である。本体は、ユーザーの動悸値を測定するための動悸センサーが組み付けられた一端はユーザーの手の握り箇所とし、ユーザーの総歩数を測定するための歩数計が組み付けられた他端は地面と接触する。表示装置は、本体に組み付けられ、動悸センサーおよび歩数計と電気的に接続し、ユーザーの現時点の動悸と、一回の歩行のカロリー消耗量とを表示する。
【考案の効果】
【０００５】
本考案の杖の構造によれば、歩行の補助器材とすることが可能であると共に、現時点の時間および動悸値と、一回の歩行のカロリー消耗量、距離、総歩数および総時間となども測定して表示可能である。
【考案を実施するための最良の形態】
【０００６】
以下、本考案の実施例を図面に基づいて説明する。
まず、図１から図１０に示は、本考案を説明するために挙げた実施例だけであり、本考案の実用新案登録請求範囲を限定するためのものではない。
本考案の杖の構造は、図１に示すように、一つの本体１と、表示装置１５とを含む。
前記本体１は、ユーザーの動悸値を測定するための動悸センサー１２が組み付けられた一端はユーザーの手の握り箇所とするハンドル１１であり、図２に示すように、ユーザーの一回の歩行の総歩数を測定するための歩数計１４が組み付けられた他端は地面と接触するロッド１３である。
【０００７】
前記表示装置１５は、前記本体１のロッドに組み付けられ、前記動悸センサー１２および前記歩数計１４と電気的に接続する。本実施例では、前記表示装置１５は、一つのスクリーン１５１と、複数のボタン１５２とを有し、前記スクリーンは、ユーザーの現時点の動悸値と、一回の歩行によるカロリー消耗量とを表示し、図３と図４に示すように、前記各ボタン１５２によって前記スクリーン１５１の表示画面が切り替え可能である。
【０００８】
図５と図８に示すように、前記スクリーン１５１は、現時点の時間および動悸値と、一回の歩行のカロリー消耗量、距離、総歩数および総時間となども表示可能であるので、本考案に係る杖は多種類の機能を有するものである。
【０００９】
本実施例では、図９に示すように、前記本体１のハンドル１１には、前記表示装置１５にあるブザー１５３と電気的に接続した緊急ボタン１６が組み付けてあり、緊急状態の場合には、ユーザーが前記緊急ボタン１６を押圧すると、前記ブザー１５３が警示音声を出す。
図１０に示すように、前記本体１のロッド１３には、更に、前記ロッド１３に対して摺動可能な伸縮ロッド１７が一つ設けてあり、前記伸縮ロッド１７により、本考案の杖全体の長さはユーザーの身長に応じて調整することが可能である。
【図面の簡単な説明】
【００１０】
【図１】本考案の実施例による杖の構造を示す外観図である。
【図２−１】本考案の実施例による杖の構造で底端にある歩数計の地面に接触していない状態を示す構造図である。
【図２−２】本考案の実施例による杖の構造で底端にある歩数計の地面に接触した状態の構造図である。
【図３】本考案の実施例による杖の構造で表示装置のスクリーンが現時点の動悸を表示する状態を示す図である。
【図４】本考案の実施例による杖の構造で表示装置のスクリーンが歩行によるカロリー消耗量を表示する状態を示す図である。
【図５】本考案の実施例による杖の構造で表示装置のスクリーンが時計として現時点の時間を表示する状態を示す図である。
【図６】本考案の実施例による杖の構造で表示装置のスクリーンが一回の歩行の総距離を表示する状態を示す図である。
【図７】本考案の実施例による杖の構造で表示装置のスクリーンが一回の歩行の総時間を表示する状態を示す図である。
【図８】本考案の実施例による杖の構造で表示装置のスクリーンが一回の歩行の総歩数を表示する状態を示す図である。
【図９】本考案の実施例による杖の構造で表示装置のブザーが鳴いている状態を示す概略図である。
【図１０】本考案の実施例による杖の構造のロッドの伸縮ロッドの動作を示す概略図である。
【図１１】従来の杖の構造を示す概略図である。
【符号の説明】
【００１１】
１  本体、１１  ハンドル、１２  動悸センサー、１３  ロッド、１４  歩数計、１５  表示装置、１６  緊急ボタン、１７  伸縮ロッド、８１  ロッド、８２  伸縮ロッド、８３  ハンドル、１５１  スクリーン、１５２  ボタン、１５３  ブザー
【図１】
0003124681.tif 000003
【図２−１】
0003124681.tif 000004
【図２−２】
0003124681.tif 000005
【図３】
0003124681.tif 000006
【図４】
0003124681.tif 000007
【図５】
0003124681.tif 000008
【図６】
0003124681.tif 000009
【図７】
0003124681.tif 000010
【図８】
0003124681.tif 000011
【図９】
0003124681.tif 000012
【図１０】
0003124681.tif 000013
【図１１】
0003124681.tif 000014